(57)【特許請求の範囲】
【請求項１】
下端を底部（６）で塞いだ胴部（５）の上端に、肩部（４）を介して口筒部（２）を連設して壜体状にブロー成形された、内容体（７）と外容体（１０）とから成る合成樹脂製の二重容器（１）であって、前記内容体（７）と外容体（１０）のいずれか一方の表面に設けたリブ条（１１）により潰れを防止された状態で、前記肩部（４）から底部（６）にかけての内容体（７）と外容体（１０）との間に空隙（１２）を形成し、前記内容体（７）の下端に設けた開口筒片（８）により、前記空隙（１２）と内容体（７）内とを連通させて成る二重容器。
【請求項２】
下端を底部（６）で塞いだ胴部（５）の上端に、肩部（４）を介して口筒部（２）を連設し、前記肩部（４）から底部（６）にかけて、間に空隙（１２）を有する二重壁構造とした、壜体状に成形される、内容体（７）と外容体（１０）とから成る合成樹脂製の二重容器（１）の成形方法であって、有底筒状の外プリフォーム（２０）に、下端に開口筒片（１８）を設けた内プリフォーム（１７）を挿入組付けして固定し、該内プリフォーム（１７）と外プリフォーム（２０）のいずれか一方に設けたリブ条（２１）により、本体部（１６）の内プリフォーム（１７）部分と外プリフォーム（２０）部分との間に空隙（１２）を形成して二重プリフォーム（１３）を構成し、該二重プリフォーム（１３）を、前記開口筒片（１８）への延伸ピンの押付けにより空隙（１２）を密閉した状態で、前記二重容器（１）に二軸延伸ブロー成形する二重容器の成形方法。
【請求項３】
外プリフォーム（２０）の口筒部外周面下端にネックリング（１５）を設けると共に、内プリフォーム（１７）の口筒部に、前記外プリフォーム（２０）の口筒部に上方から係止する係止片（１９）を設けて二重プリフォーム（１３）を構成し、該二重プリフォーム（１３）を、前記ネックリング（１５）を含めた口筒部（１４）を支持部として、二重容器（１）に二軸延伸ブロー成形する請求項２に記載の二重容器の成形方法。
【発明の詳細な説明】
【技術分野】
【０００１】
本発明は、断熱機能を発揮するブロー成形された壜体状の合成樹脂製二重容器とその成形方法に関するものである。
【背景技術】
【０００２】
収納した内容物に対して断熱作用を発揮する合成樹脂製容器として、外容器体と内容器体とを、間に空隙を形成させて組合わせ、この外容器体と内容器体との間に形成された空隙により断熱作用を得るようにした二重容器が知られている。
【０００３】
上記した構成の二重容器は、既に一定形状に成形されている外容器体と内容器体とを、そのまま組合わせるので、その構造が、外容器体と内容器体とを組合わせることが可能なもの、例えばどんぶり状とかカップ状となっているのが一般である。
【特許文献１】特開２００２−２８２１１０号公報
【０００４】
このものは、容器の外観形状および構造が大幅に制限されてしまい、基本的には、大きな開口部を有する構造となるので、液体を収納保持するには、きわめて不向きである、と云う不満があった。
【０００５】
この不満を解消するものとして、外容器体と内容器体とをそれぞれ壜体状に成形しておき、上下に２分割した外容器体の上半分を、その口部で内容器体に組付け固定し、外容器体の下半分を、内容器体に被せるようにして、外容器体の上半分に連結固定することにより、外観形状が壜体状となった二重容器を構成したものがある。
【特許文献２】特開２００２−６８３２４号公報
【０００６】
この外観形状が壜体状である二重容器は、通常の壜体と同様に、液体収納容器として適正に機能させることができるのであるが、その成形は、２分割した外容器体の一方を、内容器体に一定姿勢で組付け、この組付け状態を一定に維持したまま、他方を一方に連結固定することにより達成されるものとなっている。
【発明の開示】
【発明が解決しようとする課題】
【０００７】
このため、一つの二重容器を製作するのに要する部品数が、少なくとも三つ必要となり、それだけ部品の取扱いが煩雑で面倒となり勝ちとなる、と云う問題があった。
【０００８】
また、上下に２分割した外容器体を繋ぎ合わせて二重容器を完成させるので、この外容器体の繋ぎ合わせ部分が、容器の外観を著しく悪化させる恐れが高く、このため外容器体の繋ぎ合わせ部分を隠蔽する必要があり、その分、構成が複雑化し、容器の製造価格が高くなる、と云う問題があった。
【０００９】
さらに、外容器体と内容器体との間に形成した空隙を密閉構造とするために、複雑なシール構造と、面倒な取扱い操作とを要する、と云う問題があった。
【００１０】
そこで、本発明は、上記した従来技術における問題点を解消すべく創案されたもので、断熱作用を発揮する空隙を有する二重容器を、簡単な構造および成形方法で得ることを技術的課題とし、もって断熱機能を発揮する二重容器を、通常の壜体の外観体裁を維持したまま、構造および取扱いが簡単でかつ、安価に製造できるようにすることを目的とする。
【課題を解決するための手段】
【００１１】
上記技術的課題を解決する本発明の内、請求項１記載の発明の手段は、
下端を底部で塞いだ胴部の上端に、肩部を介して口筒部を連設して壜体状にブロー成形された、内容体と外容体とから成る合成樹脂製の二重容器であること、
内容体と外容体のいずれか一方の表面に設けたリブ条により潰れを防止された状態で、肩部から底部にかけての内容体と外容体との間に空隙を形成すること、
内容体の下端に設けた開口筒片により、空隙と内容体内とを連通させること、
にある。
【００１２】
この請求項１記載の発明にあっては、内容体と外容体との間に形成される空隙が、密閉構造となっておらず、内容体と連通状態となっているので、二重容器に収納された内容液の一部が、この空隙内に侵入し、この空隙内に侵入した内容液および空隙内の空気が断熱作用を発揮し、内容体内の内容液を外気から断熱する。
【００１３】
この空隙内に位置した内容液は、通常の合成樹脂製壜体と同程度に、外気の熱影響を受けるが、この外気の熱影響による熱対流による熱伝達作用は、この空隙内の内容液だけに発生し、空隙内の内容液が効果的に断熱作用を発揮することになる。
【００１４】
空隙は密閉構造ではないので、密閉するためのシール構造が不要であり、その分、内容体と外容体との組付き構造および組付け取扱い操作が簡単である。
【００１５】
外容体は、上下に二分割されることなく、一体成形物のままの構造であるので、その外表面につなぎ合わせによる線が現われることがなく、平滑な外表面を形成する。
【００１６】
また、本発明の内、請求項２記載の発明の手段は、
下端を底部で塞いだ胴部の上端に、肩部を介して口筒部を連設し、肩部から底部にかけて、間に空隙を有する二重壁構造とした、壜体状に成形される、内容体と外容体とから成る合成樹脂製の二重容器の成形方法であること、
有底筒状の外プリフォームに、下端に開口筒片を設けた内プリフォームを挿入組付けして固定し、この内プリフォームと外プリフォームのいずれか一方に設けたリブ条により、本体部の内プリフォーム部分と外プリフォーム部分との間に空隙を形成して二重プリフォームを構成すること、
この二重プリフォームを、空隙を密閉した状態で、二重容器にブロー成形すること、
にある。
【００１７】
この請求項２記載の発明にあっては、二重プリフォームは、本体部に形成される空隙を密閉状態とすることもなく、単に外プリフォームと内プリフォームとを挿入組付けしただけで構成されるので、その組立て取扱い処理が、きわめて簡単である。
【００１８】
二重プリフォームを二重容器のブロー成形する際における空隙の密閉は、二重プリフォームの二重容器へのブロー成形時間がきわめて短いことから、必ずしも完全な密閉とする必要はなく、多少のリークがあっても、二重プリフォームの二重容器へのブロー成形は、支障なく達成できる。
【００１９】
この空隙の密閉手段としては、二重プリフォームの保持治具による挟持とか、延伸ピンの押付け等を利用するのが簡単であるが、これに限定されることはなく、他の適当な手段を利用しても良い。
【００２０】
請求項３記載の発明は、請求項２記載の発明の構成に、外プリフォームの口筒部外周面下端にネックリングを設けると共に、内プリフォームの口筒部に、外プリフォームの口筒部に上方から係止する係止片を設けて二重プリフォームを構成し、この二重プリフォームを、ネックリングを含めた口筒部を支持部として、二重容器に二軸延伸ブロー成形する、ことを加えたものである。
【００２１】
この請求項３記載の発明にあっては、成形される二重容器に、二軸延伸ブロー成形に伴う物性の向上を付与することが可能となり、これにより二重容器の内容物収納特性および機械的強度の向上を得ることができる。
【発明の効果】
【００２２】
本発明は、上記した構成となっているので、以下に示す効果を奏する。
請求項１記載の発明にあっては、肩部から底部にかけて、間に空隙を有する二重壁構造としたので、この空隙内に侵入した内容液および空気が断熱作用を発揮し、断熱容器としての機能を確実に発揮する。
【００２３】
形成される空隙は密閉構造とする必要のないものであるので、面倒なシール構造が不要となり、その分、容器の構造が簡単となる。
【００２４】
二重容器の外表面は、一体成形物である外容体で形成されるので、つなぎ合わせによる線が外観体裁として現われることが全くなく、これにより空隙を有する二重壁構造であっても、外観体裁の良い平滑な面となる。
【００２５】
請求項２記載の発明にあっては、二重プリフォームの組立て取扱い処理がきわめて簡単であるので、効率の良い二重容器成形操作を得ることができる。
【００２６】
また、二重プリフォームを二重容器にブロー成形する際に要求とされる、空隙の密閉は、多少のリークは許容される程度のものであるので、その達成が容易であり、それゆえ既存の設備を利用して簡単に実施することができる。
【００２７】
請求項３記載の発明にあっては、二重容器に、二軸延伸ブロー成形に伴う物性の向上を付与することができ、これにより丈夫で安全な二重容器を得ることができる。
【発明を実施するための最良の形態】
【００２８】
以下、本発明の実施例を、図面を参照しながら説明する。
図１は、本発明による二重容器１の一実施例を示す縦断面図で、二重容器１は、外周面に、螺条と、この螺条の下位にネックリング３とを突条設した口筒部２と、この口筒部２の下端に、下方に拡径したテーパ筒状に連設された肩部４と、肩部４の下端から垂下状に連設された胴部５と、そしてこの胴部５の下端を閉鎖する底部６とから構成されている。
【００２９】
この二重容器１は、外容体１０内に内容体７を挿入位置させた二重壁構造を有しており、その肩部４から底部６にかけて、内容体７と外容体１０のいずれか一方に設けられた複数の縦条状となったリブ条１１により、周方向に区画された状態で、縦長となった複数の空隙１２が形成されている。
【００３０】
内容体７の底部中央には、小さい高さで下方に突出した開口筒片８が設けられており、この開口筒片８により、内容体７の下端が開放されることになる。
【００３１】
内容体７の上端には、外容体１０の口筒部上端面に当接して係止する口鍔状の係止片９が周設されており、この係止片９により、外容体１０に対する内容体７の一定した組付き状態を、安定して維持するが、この係止片９は、内容体７と外容体１０の口筒部同士の組付きを密にするものではない。
【００３２】
このため、内容体７と外容体１０との間に形成された空隙１２は、その下端を、開口筒片８を介して内容体７内に連通させると共に、その上端を、内容体７と外容体１０の口筒部同士の組付き部分に形成される僅かな隙間を通してリークしている。
【００３３】
図２は、図１に示した二重容器１に二軸延伸ブロー成形される二重プリフォーム１３の構造例を示す縦断面図で、二重プリフォーム１３は、螺条を刻設した外周面の下端にネックリング１５を周設した口筒部１４の下端から、有底筒状の本体部１６を垂下状に連設して構成されている。
【００３４】
この二重プリフォーム１３は、半球弧殻状の底部を有する円筒状の外プリフォーム２０に、円筒状の内プリフォーム１７を挿入組付けして組立てられ、外プリフォーム２０は、その口筒部の外周面に螺条とネックリング１５とを設けた構造となっており、内プリフォーム１７は、上端に、外プリフォーム２０の口筒部上端面に当接して係止する口鍔状の係止片１９を周設し、また半球弧殻状となった底部の下端中央に、高さの低い開口筒片１８を下方に突出させ、この開口筒片１８により底部を開放した構造となっている。
【００３５】
二重プリフォーム１３の本体部１６には、内プリフォーム１７と外プリフォーム２０のいずれか一方に設けた複数の縦条状となったリブ条２１により、周方向に区画された空隙１２が形成されているが、この空隙１２は、外プリフォーム２０に内プリフォーム１７を挿入組付けしただけで二重プリフォーム１３の組立てを完了させていることから、密閉構造とはなっていない。
【００３６】
図３および図４は、リブ条２１を付形した内プリフォーム１７の構造例を示す外観斜視図および底面図で、開口筒片１８の高さと同じ突出高さに成形された複数（図示実施例の場合、１２本）の縦条状となったリブ条２１および開口筒片１８は、内プリフォーム１７の外表面部分に、リブ条２１および開口筒片１８を残存させた状態で、幅広な縦溝を設けることにより、形成されている。
【００３７】
この図３および図４に示した内プリフォーム１７は、リブ条２１が離型方向に沿って延びていることから、その射出成形処理が簡単である。
【００３８】
図５は、リブ条２１を付形した内プリフォーム１７の他の構造例を示す外観斜視図で、開口筒片１８の高さと同じ突出高さでスパイラル突条状にリブ条２１を成形したもので、図示実施例の場合は一条構造であるが、二条構造としても差し支えない。
【００３９】
図６は、リブ条２１を付形した外プリフォーム２０の構造例を示す平面図で、底内面中央に、開口筒片１８が嵌入位置する凹部を形成した状態で、複数（図示実施例の場合、１２本）の縦条状となったリブ条２１を放射状に突条設して構成されており、この場合、リブ条２１を設けた外プリフォーム２０部分に対向する内プリフォーム１７部分、すなわち内プリフォーム１７の本体部分の肉厚は、開口筒片１８を残存させた状態で、リブ条２１の突出高さ分だけ薄くなっている。
【００４０】
図７は、内プリフォーム１７と外プリフォーム２０の口筒部同士の組付きの他の構造例を示すもので、外プリフォーム２０の口筒部の内周面に上向き段部を形成し、内プリフォーム１７の外周面に、外プリフォーム２０に形成された段部に上方から係止する、下向き段部状の係止片１９を設けて構成されている。
【００４１】
図８は、内プリフォーム１７と外プリフォーム２０の口筒部同士の組付きのさらに他の構造例を示すもので、内プリフォーム１７の上端部に、外プリフォーム２０の上端部を覆って上方から係止する、鉤型鍔片状の係止片１９を設けて構成されている。
【００４２】
図２に示した二重プリフォーム１３は、図１に示した二重容器１に二軸延伸ブロー成形されるが、この二重プリフォーム１３の二重容器１への二軸延伸ブロー成形に際して、口筒部１４における内プリフォーム１７と外プリフォーム２０との組付きは、二重プリフォーム１３を二軸延伸ブロー成形すべく保持する保持治具（図示省略）による挟持、および延伸成形力による、口鍔片１９の外プリフォーム２０への押付けにより、略密な状態となり、また開口筒片１８は、延伸ピン（図示省略）の押付けにより、密閉される。
【００４３】
このように、二重プリフォーム１３は、内プリフォーム１７と外プリフォーム２０との間に形成された空隙１２が、略密な状態に保持され、かつリブ条１１で潰れを防止された状態で、二重容器１に二軸延伸ブロー成形されるので、二重容器１に空隙１２を形成することができる。
【００４４】
なお、上記の説明においては、二重プリフォーム１３の二重容器１への成形を、二軸延伸ブロー成形で説明したが、これに限定されることはなく、単純なブロー成形で成形することも可能である。
【図面の簡単な説明】
【００４５】
【図１】本発明による二重容器の第一の実施例を示す、縦断正面図である。
【図２】図１の実施例に成形される、二重プリフォームを示す縦断正面図である。
【図３】縦条状のリブ条を設けた内プリフォームの構成例を示す、外観斜視図である。
【図４】図３に示した内プリフォームの、拡大底面図である。
【図５】スパイラル条状のリブ条を設けた内プリフォームの他の構成例を示す、外観斜視図である。
【図６】縦条状のリブ条を設けた外プリフォームの構造例を示す、拡大平面図である。
【図７】二重プリフォームの他の構造例を示す、縦断正面図である。
【図８】二重プリフォームのさらに他の構造例を示す、縦断正面図である。
【符号の説明】
【００４６】
１    ；  二重容器
２    ；  口筒部
３    ；  ネックリング
４    ；  肩部
５    ；  胴部
６    ；  底部
７    ；  内容体
８    ；  開口筒片
９    ；  係止片
１０  ；  外容体
１１  ；  リブ条
１２  ；  空隙
１３  ；  二重プリフォーム
１４  ；  口筒部
１５  ；  ネックリング
１６  ；  本体部
１７  ；  内プリフォーム
１８  ；  開口筒片
１９  ；  係止片
２０  ；  外プリフォーム
２１  ；  リブ条
【図１】
0004618579.tif 000002
【図２】
0004618579.tif 000003
【図３】
0004618579.tif 000004
【図４】
0004618579.tif 000005
【図５】
0004618579.tif 000006
【図６】
0004618579.tif 000007
【図７】
0004618579.tif 000008
【図８】
0004618579.tif 000009